(57)【要約】【課題】リング状の均一発光を実現するとともに、非点灯時の意匠性を高めることができるリング状発光体を提供すること。【解決手段】ＬＥＤ（点状光源）３と、該ＬＥＤ３からの入射光を反射させる光反射手段７を一方の側周面側に有し、他方の側周面側にリング状の光を発する発光面４ａを有する発光部４と、前記ＬＥＤ３からの光が入射する入射面５ａを有し、前記発光部４の前記光反射手段７が設けられていない部分から一体に延びる導光部５と、該導光部５内に取り入れられた光の進行方向を、前記発光部４の延在方向に向けて反射させる光偏向手段６と、を備えたロング状発光体１において、前記発光部４の前記発光面４ａを正面側から覆うアウタレンズ８を設けるとともに、該アウタレンズ８の正面視で少なくとも前記光偏向手段６に重なる部分に光拡散手段９を設ける。【選択図】図１
2015191774.tif 000002
【特許請求の範囲】
【請求項１】
点状光源と、
該点状光源からの入射光を反射させる光反射手段を一方の側周面側に有し、他方の側周面側にリング状の光を発する発光面を有する発光部と、
前記点状光源からの光が入射する入射面を有し、前記発光部の前記光反射手段が設けられていない部分から一体に延びる導光部と、
該導光部内に取り入れられた光の進行方向を、前記発光部の延在方向に向けて反射させる光偏向手段と、
を備えたリング状発光体において、
前記発光部の前記発光面を正面側から覆うアウタレンズを設けるとともに、該アウタレンズの正面視で少なくとも前記光偏向手段に重なる部分に光拡散手段を設けたことを特徴とするリング状発光体。
【請求項２】
前記拡散手段を、径方向に延びるプリズムカットを周方向に複数形成することによって構成したことを特徴とする請求項１記載のリング状発光体。
【発明の詳細な説明】
【技術分野】
【０００１】
本発明は、ＬＥＤ（発光ダイオード）等の点状光源からの光を線状光に変換してリング状に発光させるリング状発光体に関するものである。
【背景技術】
【０００２】
近年、照明器具や車両用灯具の光源には、発光効率が高くて、長寿命、省電力等の利点を有するＬＥＤ等の発光素子が多く使用されるようになっている。
【０００３】
ところで、例えば車両のヘッドランプ電飾やブレーキランプ等には、リング状に発光するリング状発光体が用いられる場合があり、斯かるリング状発光体として、例えば特許文献１には図７に示すものが提案されている。
【０００４】
即ち、図７は特許文献１において提案されたリング状発光体の斜視図であり、図示のリング状発光体１０１は、ＬＥＤランプ等の左右一対の点状光源１０３と、リング状の発光部１０４と、該発光部１０４の両端部から裏面側（図７の右斜め上方）に向かって直角且つ一体に延びる左右一対の導光部１０５と、前記発光部１０４の前記導光部１０５に対向する箇所に設けられた左右一対の光偏向手段１０６を備えている。
【０００５】
上記発光部１０４は、前記点状光源１０３からの入射光を反射させる不図示の光反射手段を裏面側の周面に沿って設け、表面側の周面にリング状の光を発する発光面１０４ａを有している。叉、前記各導光部１０５は、前記各点状光源１０３からの光が入射する入射面１０５ａを有しており、前記光偏向手段１０６は、前記導光部１０５内に取り入れられた光の進行方向を、前記発光部１０４の延在方向に向かって反射させる反射層やハーフミラーによって構成されている。
【０００６】
斯かるリング状発光体１０１において、左右一対の点状光源１０３が点灯すると、その光は、左右一対の各導光部１０５の入射面１０５ａから各導光部１０５内に入射し、左右の各光偏向手段１０５によって発光部１０４の延在方向の２方向に向けて反射され、発光部１０４内を周方向に進む過程で裏面側の不図示の光反射手段によって反射されて正面側の発光面１０４ａから正面側に向かって出射するため、発光面１０４ａがリング状に発光する。
【先行技術文献】
【特許文献】
【０００７】
【特許文献１】特開２００３−２９７１０８号公報
【発明の概要】
【発明が解決しようとする課題】
【０００８】
しかしながら、特許文献１において提案された図７に示すリング状発光体１０１においては、発光部１０４に設けられた光偏向手段１０６の部分が発光せず、この部分からの光の漏れやロスが発生するため、発光部１０４が厳密にはリング状ではなくＣ字状に発光し、リング状の均一発光が実現しないという問題がある。
【０００９】
叉、非点灯時に光偏向手段１０６の周辺がダークとなって正面側から見えるため、当該リング状発光体１０１の見栄えが一定ではなく、意匠性が低下するという問題もある。
【００１０】
本発明は上記問題に鑑みてなされたもので、その目的とする処は、リング状の均一発光を実現するとともに、非点灯時の意匠性を高めることができるリング状発光体を提供することにある。
【課題を解決するための手段】
【００１１】
上記目的を達成するため、請求項１記載のリング状発光体は、
点状光源と、
該点状光源からの入射光を反射させる光反射手段を一方の側周面側に有し、他方の側周面側にリング状の光を発する発光面を有する発光部と、
前記点状光源からの光が入射する入射面を有し、前記発光部の前記光反射手段が設けられていない部分から一体に延びる導光部と、
該導光部内に取り入れられた光の進行方向を、前記発光部の延在方向に向けて反射させる光偏向手段と、
を備えたリング状発光体において、
前記発光部の前記発光面を正面側から覆うアウタレンズを設けるとともに、該アウタレンズの正面視で少なくとも前記光偏向手段に重なる部分に光拡散手段を設けたことを特徴とする。
【００１２】
請求項２記載の発明は、請求項１記載の発明において、前記拡散手段を、径方向に延びるプリズムカットを周方向に複数形成することによって構成したことを特徴とする。
【発明の効果】
【００１３】
本発明によれば、発光部の発光面を正面側から覆うアウタレンズの正面視で少なくとも光偏向手段に重なる部分にプリズムカット等の光拡散手段を設けたため、光偏向手段において反射しなかった光（ロスした光）がアウタレンズの光拡散手段によって拡散され、発光部の従来発光しなかった箇所（光偏向手段が設けられた箇所）も発光し、発光部の全体がリング状に均一に発光する。
【００１４】
叉、リング状発光体の非点灯時には、アウタレンズに設けられた光拡散手段が外光を拡散させて光偏向手段を外部から直視することができないように覆い隠すため、光偏向手段周辺のダーク部分が正面から見えることによる見栄えの低下が防がれ、当該リング状発光体の意匠性が高められる。
【図面の簡単な説明】
【００１５】
【図１】本発明に係るリング状発光体の破断正面図である。
【図２】本発明に係るリング状発光体のアウタレンズを取り外した状態の斜視図である。
【図３】図１のＡ−Ａ線断面図である。
【図４】図１のＢ−Ｂ線断面図である。
【図５】図２のＢ−Ｂ線断面図である。
【図６】図２のＤ−Ｄ線断面図である。
【図７】特許文献１において提案されたリング状発光体の斜視図である。
【発明を実施するための形態】
【００１６】
以下に本発明の実施の形態を添付図面に基づいて説明する。
【００１７】
図１は本発明に係るリング状発光体の破断正面図、図２は同リング状発光体のアウタレンズを取り外した状態の斜視図、図３は図１のＡ−Ａ線断面図、図４は図１のＢ−Ｂ線断面図、図５は図２のＢ−Ｂ線断面図、図６は図２のＤ−Ｄ線断面図である。
【００１８】
本実施の形態に係るリング状発光体１は、図２に示すように、基板２上に実装された点状光源である左右一対のＬＥＤ３と、断面形状が真円の棒状部材をリング状に成形して成る発光部４と、該発光部４の両端部から奥側（図２の右斜め上方）に向かって直角且つ一体に延びる左右一対の導光部５と、前記発光部４の前記導光部５に対向する箇所に設けられた左右一対の光偏向手段を備えている。
【００１９】
上記リング状発光体１は、図５及び図６に示すように、透光性樹脂により構成されている。そして、このリング状発光体１の裏面側（図５及び図６の右側）であって、発光部４の外表面には、各ＬＥＤ３からの入射光を正面側（図５及び図６の左側）に向けて販社させる断面円弧状の光反射手段７が設けられており、正面側の周面は、正面側に向かってリング状の光を出射する円弧断面状の発光面４ａを構成している。
【００２０】
ここで、前記リング状発光体１としては、例えば、ポリスチレン、アクリル樹脂、ポリカーボネート、ポリアミド、ポリイミド、シリコーン樹脂等の透明樹脂が単独又は組み合わせて使用される。尚、本実施の形態では、前記発光部４としては、真円の断面形状を有するものを使用したが、断面形状が楕円、矩形、多角形等のものを使用しても良い。
【００２１】
前記.光反射手段７は、白色顔料や散乱材を含む（メタ）アクリル系ポリマー等によって形成された白色線や金属層等から成る反射層等によって構成されている。ここで、白色顔料や散乱材としては、例えば、シリコーン樹脂粒子やポリスチレン粒子等の有機ポリマー粒子、Ａｌ２Ｏ３，ＴｉＯ２、ＳｉＯ２等の金属酸化物粒子、ＢａＳＯ４等の硫酸塩粒子等が単独又は組み合わせて用いられる。尚、本実施の形態では、光反射手段７として反射層を用いた例について説明したが、これに代えて、発光部４の裏面側にプリズムカット等の反射カットを形成しても良い。
【００２２】
左右一対の前記導光部５は、前記発光部４の両端部（光反射手段７が設けられていない部分）が裏面側に向かって直角且つ一体に延出されることによって構成されており、その端面は、各ＬＥＤ３から出射される光を取り入れる光入射面５ａをそれぞれ構成している。ここで、発光部４の発光面４ａは、導光部５の光入射面５ａから離れる位置にあるほど光量が少なくなるため、均一な輝度でリング状の発光を得るために光反射手段７の適正化を図ることが望ましい。そこで、本実施の形態では、図５及び図６に示すように、発光部４においてＬＥＤ３から離れる位置にある部分ほど反射手段７の幅を広くしている。
【００２３】
左右一対の前記光偏向手段６は，各導光部５の光入射面５ａから該導光部５内に取り入れられた光の進行方向を、発光部４の延在方向の２方向に向かって反射させる機能を有するものであって、発光部４の導光部５に対向する箇所（入射面５ａから導光部５に取り入れられた光が最初に衝突する発光面４ａの部分）に設けられている。ここで、光偏向手段６としては、反射層やハーフミラー、全反射面等が用いられる。
【００２４】
而して、本実施の形態に係るリング状発光体１においては、図１、図３及び図４に示すように、発光部４の前面側（図２の左側）には、該発光部４の発光面４ａを正面側から覆う有底筒状の透明なアウタレンズ８が配置されており、このアウタレンズ８の正面視で少なくとも光偏向手段６に重なる部分に光拡散手段９が設けられている。尚、本実施の形態では、図１及び図３に示すように、光拡散手段９は、アウタレンズ８の内面の一部に、径方向に延びるプリズムカット９ａを周方向に複数形成することによって構成されている。
【００２５】
以上のように構成されたリング状発光体１において、左右一対のＬＥＤ３に不図示の電源から電流が供給されると、各ＬＥＤ３が起動されて発光し、その光は、左右の各導光部５の光入射面５ａから該導光部５内にそれぞれ取り入れられる。そして、左右の導光部５内に取り入れられた光は、左右一対の光偏向手段６によって発光部４の延在方向の２方向に向けて反射され、発光部４内を周方向に沿って進む過程で裏面側の光反射手段７によって反射されて正面側の発光面１１ａから正面側に向かって出射するため、発光面１１ａがリング状に発光する。
【００２６】
而して、本実施の形態では、発光部４の発光面４ａを正面側から覆うアウタレンズ８の正面視で少なくとも光偏向手段６に重なる部分にプリズムカット９ａから成る光拡散手段９を設けたため、光偏向手段６において反射しなかった光（ロスした光）がアウタレンズ８の光拡散手段９によって拡散され、発光部４の従来発光しなかった箇所（光偏向手段６が設けられた箇所）も発光し、発光部４の全体がリング状に均一に発光する。又は、光偏向手段６の近傍の発光面４ａから光拡散手段９へ入射する光により、光拡散手段９からも光が照射されて発光し、発光部４の全体があたかもシリンダ状に発光した見栄えとなる。
【００２７】
叉、リング状発光体１の非点灯時には、アウタレンズ８に設けられた光拡散手段９が外光を拡散させて光偏向手段６を外部から直視することができないように覆い隠すため、光偏向手段６の周辺のダーク部分が正面から見えることによる見栄えの低下が防がれ、当該リング状発光体１の意匠性が高められる。
【００２８】
尚、本実施の形態では、点状光源としてＬＥＤ３を使用したが、点状光源としてはＬＥＤ３の他に有機ＥＬ素子、その他の半導体発光素子を使用することができる。又、光拡散手段９としてプリズムカット９ａの例で説明したが、光拡散手段９としては、拡散板等を用いることも可能である。
【符号の説明】
【００２９】
１      リング状発光体
２      基板
３      ＬＥＤ（点状光源）
４      発光部
４ａ    発光部の発光面
５      導光部
５ａ    導光部の光入射面
６      光偏向手段
７      光反射手段
８      アウタレンズ
９      光拡散手段
９ａ    プリズムカット
【図１】
2015191774.tif 000003
【図２】
2015191774.tif 000004
【図３】
2015191774.tif 000005
【図４】
2015191774.tif 000006
【図５】
2015191774.tif 000007
【図６】
2015191774.tif 000008
【図７】
2015191774.tif 000009